(57)【特許請求の範囲】
【請求項１】
点火電極，アース電極を含む複数の電極が碍子に配設されていて、アース電極が燃焼装置の一部に電気的に接続されている点火装置において、
アース電極が、上記碍子を貫通して突出する延長部を有していて、この延長部が、取付板に対してスポット溶接されていることを特徴とする点火装置。
【発明の詳細な説明】
【０００１】
【産業上の利用分野】
本発明は、例えばバーナを備えた風呂釜や給湯器等に装着されるのに好適な点火装置に関するものである。
【０００２】
【従来の技術】
従来、このような点火装置は、例えば図３及び図４に示すように構成されている。
図３及び図４において、点火装置１０は、碍子１１と、碍子１１に配設された複数の電極１２，１３，１４とから構成されている。
【０００３】
碍子１１は、例えば絶縁性セラミックスの成形品であって、ほぼ直方体の形状を有していると共に、その断面が門型を呈するように裏面（図３の上側）の中央部分に形成された凹部１１ａを備えている。これにより、凹部１１ａの両側には、凹部１１ａを挟んで隣接する二つの凸部１１ｂ，１１ｃが画成されることになる。
また、碍子１１の表側、すなわち凹部１１ａ，凸部１１ｂ，１１ｃとは反対側には、後述する複数の電極１２，１３，１４の根元部分を覆うように、突出部１５が、碍子１１と一体に張り出している。
【０００４】
上記複数の電極は、図示の場合、例えばニッケル及び鉄の合金等の耐熱性に優れた細い金属棒材から形成された３本の点火電極１２，アース電極１３，フレームロッド１４から構成されている。
【０００５】
ここで、点火電極１２は、所定の電圧が印加されることにより、低電位側（ターゲット側）に火花を飛ばすようになっており、碍子１１に形成された貫通穴に挿通されて、碍子１１の凸部１１ｃ側から貫通して、後述するバーナに向かって延びていると共に、さらにアース電極１３側に向かって曲折されている。これにより、点火電極１２の先端部とアース電極１３の先端部とは、前以て決められた所定間隔を保持できるようになっている。
【０００６】
アース電極１３は、碍子１１の凹部１１ａ側から穿設された貫通穴に挿通されて、碍子１１を貫通しており、先端側は、後述するバーナに向かって延びている。
このアース電極１３の後端側は、図５及び図６で示すように、アースとなるケーシング３に、取付金具１６を介して当接することにより、この取付金具１６に電気的に接触するので、上記点火電極１２より低い電位を維持できる。これにより、点火電極１２の放電による火花を導くことができるようになっている。
【０００７】
フレームロッド１４は、図３で示すように、碍子１１の凸部１１ｂから表側に至る貫通穴に挿通されて、碍子１１の表側のバーナに向かって長く延びており、このバーナからの火焔がその表面に十分かかるように構成されている。このフレームロッド１４は、常時所定の電圧を印加されることにより、火焔に曝されて所定の信号を生成し、バーナの燃焼状態が検出できるようになっている。
【０００８】
このように構成された点火装置１０によれば、点火装置１０は、図５乃至図７に示すように、燃焼装置に対して組み付けられる。燃焼装置は、ガス釜等に収容されるバーナ２と、バーナ２の周囲を包囲するケーシング３とから構成されている。
ケーシング３には、図５で示すように、その側壁のバーナ２よりやや上方に取付孔３ａが穿設されている。この取付孔３ａは、碍子１１の突出部１５に対応して、この突出部１５が密接に嵌入される形状になっている。したがって、碍子１１の裏側（図５にて、左側）の突出部１５をケーシング３の取付孔３ａ内に嵌入させるだけで、図５及び図６に示すように、各電極１２，１３，１４は、バーナ２の炎口に近接して、バーナ２の上方にほぼ水平に延びることになる。
【０００９】
次に、図５に示すように、断面がほぼコ字形を呈する取付金具１６を、碍子１１の凹部１１ａに嵌合させる。この取付金具１６のコ字形部１６ａの立上り位置は、碍子１１の凹部１１ａの高さとほぼ一致している。しかも、取付金具１６の幅は、図７に示すように、少なくとも、碍子１１の凹部１１ａの幅より小さくなるように形成されている。このため、取付金具１６のコ字形部１６ａを碍子１１の凹部１１ａに嵌め込み、取付金具１６の取付部１６ｂをケーシング３の側壁に対してビス止め１７するだけで、点火装置１０を、ガス釜内に組み込むことができる。
【００１０】
ここで、図６に示すように、点火電極１２は、バーナ２の上方で、先端部が点火電極１２に隣接するアース電極１３側に曲折している。このため、点火電極１２に所定の電圧を印加することにより、放電してその火花が低電位側のアース電極１３に向かって飛ぶことになる。これにより、バーナ２の点火が行なわれる。
【００１１】
【発明が解決しようとする課題】
しかしながら、このような構成の点火装置１０においては、アース電極１３は、碍子１１に挿通されることにより、この碍子１１の裏側から突出したアース電極１３の後端部が、碍子１１に固定された取付板１６の表面に当接する。これにより、このアース電極１３が取付板１６に電気的に接続されるようになっている。
したがって、アース電極１３と接触し、かつ碍子１１を固定しなければならず、さらに接触によってアース電極１３とケーシング３との接続が行われるために、電気的接続不良が発生しやすいという問題があった。
【００１２】
また、取付板１６を碍子１１に対して固定保持するためには、碍子１１を保持しながら、取付板１６をケーシング３に対してネジ１７により固定する必要があることから、メインラインにおけるネジ止め工程に熟練が必要になり、ビス止めに時間がかかり、コストが高くなってしまうという問題があった。
さらに、フレームロッド１４はタブ端子等で基板間との接続を行うので碍子１１を貫通して突出した部分を加圧して、丸ボウから板状に加工していた。ところが、この電極に用いる材質は耐熱性を有するため、非常に硬く加工はむずかしかった。
【００１３】
本発明は、上記課題を解決するためになされたもので、低コストで組み立てられると共に、アース電極の取付板に対する接続が確実に行なわれるようにした点火装置を提供することを目的としている。
【００１４】
【課題を解決するための手段】
上記目的は、本発明によれば、バーナを包囲するケーシングの内側で、バーナに隣接して配設されるべき取付板に固定される一つの碍子に、この碍子からバーナへ向かって延びるように点火電極，アース電極を含む複数の電極が配設されていて、アース電極が前記取付板に電気的に接続されている、点火装置において、アース電極が、上記碍子を貫通して突出する延長部を有していて、この延長部が、取付板に対してスポット溶接されていることを特徴とする、点火装置により、達成される。
【００１５】
【作用】
上記発明によれば、アース電極が取付板に対してスポット溶接により電気的に接続されているので、このアース電極は、取付板を介してアース接続されることになる。したがって、点火電極に所定の電圧を印加することにより、点火電極の先端部から放電し、その火花が低電位側のアース電極に向かって飛ぶ。これにより、風呂釜のバーナ等の燃焼装置の点火が行なわれる。
【００１６】
ここで、アース電極の後端部が、碍子を貫通して突出しており、この突出部が、碍子に固定される取付板に対して、スポット溶接されているので、このアース電極と取付板とが、互いに電気的に接続されると共に、機械的に固定される。
【００１７】
したがって、アース電極と取付板との間の電気的接続が確実に行なわれることになる。
【００１８】
【実施例】
以下、本発明の好適な一実施例を添付図面に基づいて詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１及び図２は、本発明による点火装置の一実施例を示している。
図１において、点火装置２０は、碍子２１と、碍子２１に配設された複数の電極２２，２３，２４と、碍子２１に取り付けられた取付板２５とから構成されている。
【００２０】
碍子２１は、例えば絶縁性セラミックスの成形品であって、その断面が門型を呈するように裏面（図１の上側）の中央部分に形成された凹部２１ａを備えている。これにより、凹部２１ａの両側には、凹部２１ａを挟んで隣接する二つの凸部２１ｂ，２１ｃが形成されることになる。
また、碍子２１の表側、すなわち凹部２１ａ，凸部２１ｂ及び２１ｃの反対側には、後述する複数の電極２２，２３，２４が設けられており、そして、これら電極２２，２３，２４の根元部分を覆うように、突出部２６が、碍子２１と一体に張り出している。
【００２１】
上記複数の電極は、図示の場合、例えばニッケル及び鉄の合金等の耐熱性に優れた細い金属棒材から形成された３本の点火電極２２，アース電極２３，フレームロッド２４として構成されている。
【００２２】
ここで、点火電極２２は、所定の電圧が印加されることにより、低電位側であるアース電極２３に火花を飛ばすようになっており、碍子２１に形成された貫通穴に挿通されて、碍子２１の凸部２１ｃ側から貫通して、後述するバーナに向かって図１にて下方に延びていると共に、さらにアース電極２３側に向かって曲折されている。これにより、点火電極２２の先端部とアース電極２３の先端部とは、前以て決められた所定間隔を保持できるようになっている。
【００２３】
アース電極２３は、碍子２１の凹部２１ａ側から貫通穴に挿通されて、碍子２１を貫通しており、先端側は、後述するバーナに向かって延びている。このアース電極２３の後端側は、碍子２１から大きく突出している。
【００２４】
フレームロッド２４は、碍子２１の凹部２１ａの側から表側に至る貫通穴に挿通されて、碍子２１の表側のバーナに向かって長く延びており、このバーナからの火焔がその表面に十分かかるように構成されている。このフレームロッド２４は、常時所定の電圧を印加されることにより、火焔に曝されて所定の信号を生成し、バーナの燃焼状態が検出できるようになっている。
【００２５】
取付板２５は、例えば鋼板，ステンレス鋼等の金属板から形成されており、碍子２１の凹部２１ａ内で碍子２１の表面に当接する係合部２５ａと、この係合部２５ａから両側に張り出した延長部２５ｂ，２５ｂを有している。
この延長部２５ｂ，２５ｂには、それぞれアースとなるケーシング（図示せず）に、ネジにより固定するためのネジ穴２５ｅ，２５ｅが設けられている。さらに、取付板２５は、係合部２５ａから碍子２１の表面に対して垂直に、前記アース電極２３の後端部に沿って延びる立上り部２５ｄを備えている。
【００２６】
ここで、上記アース電極２３の後端部２３ａは、取付板２５の立上り部２５ｄに対して、スポット溶接によって接合される。これにより、取付板２５は、アース電極２３に対して、電気的に接続されると共に、機械的に固定保持されることになる。
【００２７】
さらに、フレームロッド２４は、端子２７がスポット溶接により接合されている。
この端子２７はタブ端子の形状となっており、この端子形状に対応するリセプタクル端子に配線を付けておくことで、基板間の配線が容易に行なわれる。
【００２８】
本実施例による点火装置２０は、以上のように構成されており、取付板２５がアース電極２３にスポット溶接されることにより、実質的に碍子２１に固定されている。このため、燃焼装置に対して組み付ける場合には、燃焼装置のバーナのやや上方で、取付板２５の延長部２５ｂ，２５ｂのネジ穴２５ｅ，２５ｅにより、このバーナの周囲を包囲するケーシングに対して、取付板２５を螺着する。
このように、点火装置２０は、燃焼装置に対して、所定位置に取り付けられることになる。そして、これにより、各電極２２，２３，２４は、上記バーナの炎口に近接し、かつ、これらバーナの炎口の上方にほぼ水平に延びることになる。かくして、点火装置２０は、ガス釜等の燃焼装置内に組み込まれる。
【００２９】
また、点火電極２２に所定の電圧を印加すると、点火電極２２の先端部から放電し、その火花が低電位側のアース電極２３に向かって飛ぶ。これにより、燃焼装置のバーナの点火が行なわれる。
【００３０】
ここで、アース電極２３は、その後端部２３ａが取付板２５の立上り部２５ｄに対してスポット溶接により接続されているので、このアース電極２３は、取付板２５を介して燃焼装置のケーシングに対してアース接続されることになる。しかも、スポット溶接は、サブラインで行なわれることから、製造コストが低減されることになる。
【００３１】
この場合、アース電極２３の後端部２３ａが、取付板２５の立上り部２５ｄに対してスポット溶接されているので、アース電極２３の取付板２５に対する接触不良が発生するようなことはなく、確実にアース接続される。
また、点火装置２０の組み付けの際にも、碍子２１を保持することなく、取付板２５のみをケーシングに対して保持しながら、ネジ止めすることができるので、組付け作業が容易に行なわれる。
【００３２】
尚、上記の説明においては、点火装置２０を構成する碍子２１は、図示の形状に制限されるものではなく、例えば円板状等の他の形状であってもよいことは明らかである。また、各電極２２，２３，２４も、同様に図示の形状に制限されるものではなく、ケーシングへの取付状態に応じて、他の形状であってもよいことも明らかである。
【００３３】
さらに、本実施例の点火装置２０は、石油機器等に多く用いられるガンタイプのバーナーの点火用に用いられるだけでなく、ガス、石油等を用いた給湯器、風呂釜、暖房機等のように点火が必要な燃焼装置にも用いることができる。
【００３４】
【発明の効果】
以上述べたように、本発明によれば、低コストで組み立てられると共に、アース電極の取付板に対する接続が確実に行なわれるようにした、極めて優れた点火装置を提供することができる。
【図面の簡単な説明】
【図１】本発明による点火装置の一実施例を示す概略正面図である。
【図２】図１の点火装置の側面図である。
【図３】本発明による点火装置の一実施例を示す概略正面図である。
【図４】図１の点火装置の側面図である。
【図５】図１の点火装置の組付け状態を示す側面図である。
【図６】図１の点火装置の組付け状態を示す平面図である。
【図７】図１の点火装置の組付け状態を示す正面図である。
【符号の説明】
２０    点火装置
２１    碍子
２２    点火電極
２３    アース電極
２３ａ  後端部
２４    フレームロッド
２４ａ  後端部
２５    取付板
２５ａ  係合部
２５ｂ  延長部
２５ｄ  立上り部
２６    突出部
２７    端子
【図１】
0003597587.tif 000002
【図２】
0003597587.tif 000003
【図３】
0003597587.tif 000004
【図４】
0003597587.tif 000005
【図５】
0003597587.tif 000006
【図６】
0003597587.tif 000007
【図７】
0003597587.tif 000008